(57)【要約】【課題】  登山靴に簡単に装着可能であり、靴にしっかりと固定され、安全に歩行でき、かつ携帯にも便利であること。【解決手段】  スパイク２、２…及び横ズレ防止ピン３、３…を備えたプレート状のアイゼン本体１と、これを登山靴に装着するためのバンド手段とからなる。バンド手段は、アイゼン本体１の両側の鎖部材４ａ、４ａ及び結合片４ｂ、４ｂで構成した吊り上げ鎖部４、４と、結合片４ｂ、４ｂのスリット４ｃ、４ｃを通過させたベルト部材とからなる。ベルト部材は、両側の結合片４ｂ、４ｂを境にアイゼン本体１の後部側に位置する靴後部抱え部５ａと、前部側に位置し、一端部まで延びる第１装着操作ベルト５ｂと、結合具５ｃを備えた他端部まで延びる第２装着操作ベルト５ｄとからなる。靴後部抱え部５ａの途中にはスライド移動自在にベルト係止フック５ｅが取り付けてある。【選択図】  図１
0003108431.tif 000002
【実用新案登録請求の範囲】
【請求項１】
複数のスパイクを備えたプレート状のアイゼン本体と、これを登山靴の靴底に装着するためのバンド手段とを備えた軽アイゼンに於いて、
前記スパイクを、前記アイゼン本体の下方に突き出す複数の突起であって、それらの各々の上部から該アイゼン本体の上方に立ち上がる横ズレ防止ピンを備えた突起に構成し、
前記バンド手段を、
該アイゼン本体の両側に各一端を結合した前後二本の鎖部材、及び両側の各二本の鎖部材の他端を各々その底辺に結合した三角形の結合片であって、他の二辺に沿って開口した二つの案内スリットを備えた二つの結合片で構成した吊り上げ鎖部と、
両側の結合片の各二つの案内スリットを通過して該アイゼン本体の後部側に靴後部抱え部を構成する一本のベルト部材であって、該アイゼン本体の前部側に突出する二つの端部の内の一端には他端付近を結合することが可能な結合手段を備え、更にアイゼン本体の後部側に位置する前記靴後部抱え部の途中には位置変更可能にベルト係止フックを立ち上げ状態に取り付けたベルト部材と、
で構成した軽アイゼン。
【考案の詳細な説明】
【技術分野】
【０００１】
本考案は、凍結した山道や凍結した雪渓又は滑りやすい泥の登山道の歩行の際、或いは渓流遡行に於ける土の急斜面の高巻き等の際に登山靴（渓流シューズ等を含む）に取付けて使用するのに適当な軽アイゼンに関するものである。
【背景技術】
【０００２】
アイゼンは、云うまでもなく、雪山の氷雪上を安全に歩行するために登山靴に装着して使用するものであるが、厳しい冬山登山ばかりでなく、凍結した山道、或いは滑りやすい泥道その他の急斜面の登下降の際にもその滑落防止のために有効である。そしてこのような軽登山や渓流の高巻き等で使用する軽アイゼンには若干のそれが提供されてはいるが、いずれも、その着脱が厄介であったり、携帯に不便であったり、或いは靴の種類によっては装着が不可能であったり、若しくは歩行中に前後若しくは左右にずれたりし易い等の問題のいずれかを抱えており、満足のいくものが提供されているとは言い難かった。
【０００３】
そこで本件出願人はこれらの問題点を解決すべく新たな軽アイゼン（特許文献１、２）を提案した。
これらは、相互にフレキシブルなジョイント部材で結合され、各々に複数のスパイクを備えたフロントプレート及びヒールプレートと、これらを登山靴に装着するためのバンド手段とを備えた軽アイゼンであり、それぞれ以上の特異の構成に加えてバンド手段に特別の工夫を凝らしたものである。
【０００４】
このような軽アイゼンは、先に述べたそれ以前のアイゼンと比べれば、その着脱も簡単であり、携帯にも不都合がなく、かつ渓流シューズを含んで登山靴の種類を問わずに装着可能であり、加えて歩行中に前後若しくは左右にずれたりするような問題もなく優れたものであるということができる。
【０００５】
しかし、同様な機能を備えつつより簡易な軽アイゼンを望む需要があることも事実である。
【０００６】
なお本件出願人は、前記のような軽アイゼンのスパイクに関して、特許文献３の提案をしている。
【０００７】
【特許文献１】登録実用新案第３０８９３５６号公報
【特許文献２】特開２００４−１２１３７０号公報
【特許文献３】特開２００４−８３３５号公報
【考案の開示】
【考案が解決しようとする課題】
【０００８】
本考案は、前記特許文献１及び２に示された優れた機能を保持しつつより簡易な軽アイゼンを提供することを解決の課題とする。
【課題を解決するための手段】
【０００９】
本考案の１は、複数のスパイクを備えたプレート状のアイゼン本体と、これを登山靴の靴底に装着するためのバンド手段とを備えた軽アイゼンに於いて、
前記スパイクを、前記アイゼン本体の下方に突き出す複数の突起であって、それらの各々の上部から該アイゼン本体の上方に立ち上がる横ズレ防止ピンを備えた突起に構成し、
前記バンド手段を、
該アイゼン本体の両側に各一端を結合した前後二本の鎖部材、及び両側の各二本の鎖部材の他端を各々その底辺に結合した三角形の結合片であって、他の二辺に沿って開口した二つの案内スリットを備えた二つの結合片で構成した吊り上げ鎖部と、
両側の結合片の各二つの案内スリットを通過して該アイゼン本体の後部側に靴後部抱え部を構成する一本のベルト部材であって、該アイゼン本体の前部側に突出する二つの端部の内の一端には他端付近を結合することが可能な結合手段を備え、更にアイゼン本体の後部側に位置する前記靴後部抱え部の途中には位置変更可能にベルト係止フックを立ち上げ状態に取り付けたベルト部材と、
で構成した軽アイゼンである。
【考案の効果】
【００１０】
本考案の軽アイゼンによれば、渓流シューズを含む登山靴の種類を問わずに装着可能であり、登山靴への装着が簡単で、装着すると、確実に固定され、歩行中の前後左右へのズレが少なく確実な滑り止め効果を得ることができる。またアイゼン本体を靴底の踵側からつま先側の広い範囲に自由に位置決め可能であり、使用者の希望に容易に応じることができる。
【００１１】
本考案の軽アイゼンは、その標準的な用法では、アイゼン本体を登山靴の靴底下に配した上で、靴後部抱え部で該登山靴の靴後部である踵上部付近を抱えた状態に配し、結合手段を配していない前方側に延びたベルト端部を靴前部から靴後部を巻いて再度靴前部に回し、靴前部側でベルト他端の結合手段に結合して締め付けることにより登山靴に装着固定するものである。このとき、靴後部に回す一方の側のベルト端部の途中を前記ベルト係止フックに係止しつつ更に前方に回すものであるため、靴後部抱え部を構成するベルトの下降を抑え、これによってアイゼン本体の靴底への押し当て力を強めることができることとなっているものである。他方、結合手段を端部に配したベルト端部とこれを構成していないベルト端部とを、以上のように靴前方上部で結合することによっても同じ効果を得ることとなっている。
【００１２】
アイゼン本体の靴底への装着位置は、前記両側の結合片より後部側のベルト、即ち、靴後部抱え部を伸ばすことにより、踵側からつま先側に移動させることができるようになっているものである。つま先側への位置変更は、ある程度を越えると、前記した用法での登山靴への装着は、結合手段を設けていない方のベルト端部が標準的な長さの場合には、これが長さ不足になって無理になり、そこで、別の用法で装着すべきこととなる。
【００１３】
この場合も、アイゼン本体を登山靴の靴底下に配した上で、靴後部抱え部で該登山靴の靴後部である踵上部付近を抱えた状態に配するところまでは、前記標準的な用法と同じである。この後、結合手段を設けていない方のベルト端部を靴前部側で他方側に延ばし、他方側から後部に延びる靴後部抱え部の途中に内側から巻き掛けた上で、該ベルト端部の基部側、即ち、該当する側の結合片近傍に戻し、同様にこの位置から後部に延びる靴後部抱え部の途中に内側から巻き掛けた上で、靴前部上部に引き上げ、該ベルト端部を他方から延びる他のベルト端部の結合手段に結合するようにして登山靴に装着する。
【００１４】
こうして結合手段を取り付けていない方のベルト端部の長さ不足を解消して、アイゼン本体を極端なつま先側にまで位置決め可能にすることができる。
【００１５】
なお滑り止め効果は、アイゼン本体の下面から下方に突出するスパイクによって得ることができるものであり、またアイゼン本体の上面から上方に突出する横ズレ防止ピンによってその横ずれ防止が確保されるようになっているものでもある。
【考案を実施するための最良の形態】
【００１６】
本考案を実施するための最良の形態を実施例に基づいて詳細に説明する。
【実施例】
【００１７】
この実施例の軽アイゼンは、図１に示すように、プレート状のアイゼン本体１と、該アイゼン本体１に配したスパイク２、２…及び横ズレ防止ピン３、３…と、これを登山靴（又は渓流シューズ）Ｓに装着するためのバンド手段とを主要構成要素として構成したものである。
【００１８】
前記アイゼン本体１は登山靴Ｓの踵部からつま先付近までのいずれかの部位に配して使用するもので、金属板材、この実施例では、ステンレススチールの板材を打ち抜いて形成したものである。図１及び図２(a)、(b)に示すように、その内側を強度を低下させない限度で打ち抜き開口させて軽量化を図っている。
【００１９】
前記アイゼン本体１には下方に突出する複数のスパイク２、２…を連設する。この実施例では、図２(a)、(b)、(c)に示すように、該アイゼン本体１の両側前後付近に各１本のスパイク２、２、２、２を垂下突設している。上記各スパイク２、２…は、各々該アイゼン本体１の該当部位に開口した固定孔に下方から下向き突起部材を挿入し、上方に突き抜けた部位の外周大径部をカシメて固定しているものである。以上の下方に突出した突起がスパイク２、２…を構成するものである。またスパイク２、２…を固定するためにカシメた外周拡大部の中心には小さな突起が形成してあり、これが横ズレ防止ピン３、３…となるものである。
【００２０】
前記バンド手段は、前記アイゼン本体１の両側に構成した吊り上げ鎖部４、４と、これらに係止したベルト部材とで構成したものである。
【００２１】
該吊り上げ鎖部４、４は、図１に示すように、前記アイゼン本体１の両側に各一端を結合した前後二本の鎖部材４ａ、４ａと、両側の各二本の鎖部材４ａ、４ａの他端を各々その底辺に結合し、図２(d)に示すように、他の二辺に沿って開口した二つの案内スリット４ｃ、４ｃを備えた二つの結合片４ｂ、４ｂとで構成したものである。
【００２２】
該結合片４ｂ、４ｂは、図２(d)に示すように、底辺に二つの結合孔４ｄ、４ｄを開口してあり、前記二本の鎖部材４ａ、４ａの他端はこれらを利用して該結合片４ｂ、４ｂに結合する。なお該結合片４ｂ、４ｂは、ステンレススチールの板材を打ち抜いて構成したものである。
【００２３】
前記ベルト部材は、図１に示すように、前記両側の結合片４ｂ、４ｂの各二つの案内スリット４ｃ、４ｃを順次通過させて前記アイゼン本体１の後部側に靴後部抱え部５ａを構成させ、該各結合片４ｂ、４ｂのスリット４ｃ、４ｃの通過前の部分、即ち、該アイゼン本体１の前部側に位置する一方の端部まで延びる部分を第１装着操作ベルト５ｂに構成し、他方の結合具（結合手段）５ｃを備えた端部まで延びる部分を第２装着操作ベルト５ｄに構成したものである。
【００２４】
また前記靴後部抱え部５ａを構成するベルトの途中には、図１に示すように、該ベルトをスライド移動自在に巻き抱える帯環と該帯環から立ち上げたフック部からなるベルト係止フック５ｅを取り付けてあるものである。該帯環はベルト部材と同様の部材で構成し、フック部は金属で構成してあるものである。
【００２５】
前記結合具５ｃは、図１に示すように、四辺形の辺に沿ったほぼ長方形の枠体５ｃ１とその間に配した短辺に平行な二本の係止部５ｃ２、５ｃ２とからなるものであり、一方の係止部に第２装着操作ベルト５ｄの端部が巻き付けて結合してあるものであって、一般的に採用されているものである。敢えて説明すると、前記第１装着操作ベルト５ｂの端部付近とこの結合具５ｃとの結合は、該第１装着操作ベルト５ｂの端部を該結合具５ｃの二つの係止部５ｃ２、５ｃ２の間に下方から挿入し、上方に出た端部を今度は該結合具５ｃの先端側の辺とこれに隣接する側の係止部５ｃ２との間に上方から挿入して下に引き出すことで、行うことが出来るものである。
【００２６】
従って本考案の軽アイゼンによれば、渓流シューズを含む登山靴Ｓの種類を問わずに装着可能であり、登山靴Ｓへの装着が簡単で、装着すると、前記アイゼン本体１が靴底に確実に固定され、歩行中の前後左右へのズレが少なく確実な滑り止め効果を得ることができる。またアイゼン本体１を靴底の踵側からつま先側の広い範囲に自由に位置決め可能であり、使用者の希望に容易に応じることができる。
【００２７】
まず、最終的な装着状態が図３〜図７に示した状態となる、この実施例の軽アイゼンの標準的な用法を説明する。
【００２８】
この場合は、アイゼン本体１を登山靴Ｓの靴底下に配した上で、図３及び図４に示すように、靴後部抱え部５ａで該登山靴Ｓの靴後部である踵上部付近を抱えた状態に配する。この状態で、第１装着操作ベルト５ｂを、図３、図５、図４及び図６に順次示すように、靴の一側の結合片４ｂから前部を通過し、他側部を通って靴後部に至り、該靴後部を巻いて再度靴の一側に戻り、この先端部を第２装着操作ベルト５ｄの先端に構成した結合具５ｃに結合して締め付ける。この実施例の軽アイゼンはこのようにして極めて簡単に登山靴Ｓに装着することができる。
【００２９】
なお、以上に於いて、第１装着操作ベルト５ｂの端部の該結合具５ｃへの結合の仕方は先に述べたとおりである。また第２装着操作ベルト５ｄは、このとき、靴の他側の結合片４ｂから、図４、図５及び図３に順次示すように、靴前部を通って前記一側に向かって巻いて延長しておき、以上のように、その先端の結合具５ｃを前記第１装着操作ベルト５ｂの先端部と結合可能にしておく。
【００３０】
なおまた前記第１装着操作ベルト５ｂは、前記のように、靴後部を巻く際に、特に図６に示すように、前記靴後部抱え部５ａの途中に配してあるベルト係止フック５ｅに下から係止し、該靴後部抱え部５ａを引き上げ得る状態としておく。
【００３１】
前記結合片４ｂ、４ｂのアイゼン本体１の後側、即ち、靴後部抱え部５ａとなるベルトの部分を伸縮することによって、アイゼン本体１の登山靴Ｓに於ける靴底の取り付け位置を自由に変更することができる。靴後部抱え部５ａを短くすれば、自ずとアイゼン本体１は登山靴Ｓの踵側に位置決めされ、伸ばせばつま先側に位置決めされることになる。従ってこの実施例の軽アイゼンによれば、アイゼン本体１を靴底の所望の位置に自由に位置決めすることができる。なお前記ベルト係止フック５ｅは靴後部抱え部５ａをスライド自在に移動できるので、登山靴Ｓに装着する際には、常に、靴の後部、即ち、その踵上部に相当する部位に位置するように移動させることができる。
【００３２】
もっともベルトの長さを十分に長くしておかなかった場合は、前記靴後部抱え部５ａをある程度以上に伸ばすと、前記第１装着操作ベルト５ｂの長さが不足することとなり、以上に述べた標準的な装着法では装着不可となる。従ってこの場合は、最終的に、図８〜図１１に示した状態に装着される、以下に述べる装着法を用いることとなる。
【００３３】
この場合も、アイゼン本体１を登山靴Ｓの靴底下に配した上で、靴後部抱え部５ａで該登山靴Ｓの靴後部である踵上部付近を抱えた状態に配するところまでは、前記標準的な用法と同じである。この後、第１装着操作ベルト５ｂを、該当する側部の結合片４ｂから、図９、図１０及び図８に示すように、靴の前部側を経由して他方の側部に延ばし、他方の側部の結合片４ｂから後部に延びる靴後部抱え部５ａの途中に内側から巻き掛けた上で、該第１装着操作ベルト５ｂの基部側、即ち、該当する側の前記結合片４ｂの近傍に戻し、同様にこの位置から後部に延びる靴後部抱え部５ａの途中に内側から巻き掛けた上で、また靴前部上部に引き上げ、該第１装着操作ベルト５ｂの端部を他側部の結合片４ｂから延びる第２装着操作ベルト５ｄの端部の結合具５ｃに結合させ、登山靴Ｓへの装着を完了する。
【００３４】
こうして第１装着操作ベルト５ｂの長さ不足を解消して、アイゼン本体１を極端なつま先側にまで位置決め可能にすることができる。
【００３５】
この実施例の軽アイゼンは、先に述べた考案の効果の全てを十分に発揮できるものである。
【図面の簡単な説明】
【００３６】
【図１】一実施例の軽アイゼンの一部切欠概略斜視図。
【図２】(a)はアイゼン本体の平面図、(b)はアイゼン本体の底面図、(c)はアイゼン本体の正面図、(d)は結合片の平面図。
【図３】一実施例の軽アイゼンを登山靴（渓流シューズ）に標準装着法で装着した状態の左側から見た概略斜視図。
【図４】一実施例の軽アイゼンを登山靴（渓流シューズ）に標準装着法で装着した状態の右側から見た概略斜視図。。
【図５】一実施例の軽アイゼンを登山靴（渓流シューズ）に標準装着法で装着した状態の前上方から見た概略斜視図。
【図６】一実施例の軽アイゼンを登山靴（渓流シューズ）に標準装着法で装着した状態の後ろやや上方から見た概略斜視図。
【図７】一実施例の軽アイゼンを登山靴（渓流シューズ）に標準装着法で装着した状態の下方から見た概略図。
【図８】一実施例の軽アイゼンを登山靴（渓流シューズ）に例外装着法で装着した状態の左側から見た概略斜視図。
【図９】一実施例の軽アイゼンを登山靴（渓流シューズ）に例外装着法で装着した状態の右側から見た概略斜視図。
【図１０】一実施例の軽アイゼンを登山靴（渓流シューズ）に例外装着法で装着した状態の前上方から見た概略斜視図。
【図１１】一実施例の軽アイゼンを登山靴（渓流シューズ）に例外装着法で装着した状態の後ろやや上方から見た概略斜視図。
【符号の説明】
【００３７】
１  アイゼン本体
２  スパイク
３  横ズレ防止ピン
４  吊り上げ鎖部
４ａ  鎖部材
４ｂ  結合片
４ｃ  案内スリット
４ｄ  結合孔
５ａ  靴後部抱え部
５ｂ  第１装着操作ベルト
５ｃ  結合具（結合手段）
５ｃ１  枠体
５ｃ２  係止部
５ｄ  第２装着操作ベルト
５ｅ  ベルト係止フック
Ｓ  登山靴（又は渓流シューズ）
【図１】
0003108431.tif 000003
【図２】
0003108431.tif 000004
【図３】
0003108431.tif 000005
【図４】
0003108431.tif 000006
【図５】
0003108431.tif 000007
【図６】
0003108431.tif 000008
【図７】
0003108431.tif 000009
【図８】
0003108431.tif 000010
【図９】
0003108431.tif 000011
【図１０】
0003108431.tif 000012
【図１１】
0003108431.tif 000013